(57)【要約】      （修正有）【課題】ケーブルが多数折り重なった場所や、狭いスペースでも、特定のケーブルを簡単かつ確実に識別が可能器具を提供する。【解決手段】ケーブル識別器具１は、可撓性を有する線材２と、線材の先端に取り付けられた環状の先端ガイド３と、互いに間隔を置かれて線材に取り付けられた環状のガイド４とからなり、先端ガイドは、狭いスペースに押し込んで行くことか容易になるよう先端方向に向かって狭小となる略円形の断面を有し、かつ、一部に識別部材が設けられ、線材としてピアノ線や金属撚り線を用いる。【選択図】図１
2014117027.tif 000002
【特許請求の範囲】
【請求項１】
複数のケーブルの中から特定のケーブルを識別するためのケーブル識別器具であって、可撓性を有する線状体と、互いに間隔を置かれて前記線状体に固定された複数の環状体とを有することを特徴とするケーブル識別器具。
【請求項２】
前記環状体が開閉手段を有していることを特徴とする請求項１記載のケーブル識別器具。
【請求項３】
前記環状体が弾性体からなることを特徴とする請求項１記載のケーブル識別器具。
【請求項４】
前記線状体の先端に配置された前記環状体が先端方向に向かって狭小となる断面を有していることを特徴とする請求項１乃至請求項３いずれか一項に記載のケーブル識別器具。
【請求項５】
前記線状体または前記環状体の一部に標識部材が設けられていることを特徴とする請求項１乃至請求項４いずれか一項に記載のケーブル識別器具。
【請求項６】
前記線状体の先端に配置された前記環状体が着脱自在であることを特徴とする請求項１乃至請求項５いずれか一項に記載のケーブル識別器具。
【請求項７】
前記線状体の先端に配置された前記環状体が他の前記環状体よりも小さな内径を有していることを特徴とする請求項１乃至請求項６いずれか一項に記載のケーブル識別器具。
【請求項８】
前記線状体が分割可能であり、分割された前記線状体が両端に接続手段を有していることを特徴とする請求項１乃至請求項７いずれか一項に記載のケーブル識別器具。
【請求項９】
可撓性を有する線状体と、互いに間隔を置かれて前記線状体に固定された複数の環状体とを有するケーブル識別器具の一端をケーブルに挿入する工程と、前記複数の環状体に前記ケーブルを通しながらの前記ケーブル識別器具を移動させる工程とを有することを特徴とするケーブルの識別方法。
【請求項１０】
前記ケーブルの外径に略等しい内径を有する前記環状体を先端に有する前記ケーブル識別器具を用いることを特徴とする請求項９記載のケーブル識別方法。
【発明の詳細な説明】
【技術分野】
【０００１】
本発明は、ケーブル識別治具及びケーブル識別方法に関する。
【背景技術】
【０００２】
電力施設やデータセンターなどでは施設内に膨大な数のケーブルが敷設されている。このため施設の保守・点検作業においては、多数のケーブルの中から、いかにして目的とするケーブルを識別するかが大きな課題である。
【０００３】
このような識別作業を容易にする技術が、例えば特許文献１に開示されている。図２４はこの技術による摘出工具１０１を示す斜視図である。摘出工具１０１はケーブルを通すケーブルガイド１０２と把持棒１０３からなる。把持棒３にはジョイント１０４が設けられており、中ほどで屈曲することが可能になっている。
【０００４】
図２５に示すように、ケーブルガイド１０２は、略１回転半の螺旋を成す線材である。螺旋の切れ目をケーブル１０５に差し入れた後、把持棒１０３を捻ることにより、図２５のようにケーブルガイド１０２がケーブル１０５を保持できる。
【０００５】
この摘出工具１０１を用いて、ケーブル１０５を識別する作業は、次の通りである。まずケーブルガイド１０２を目的とするケーブルに挿し入れる。次に把持棒１０３をひねりケーブル１０５を保持する。次にケーブル１０５を保持した状態を保ちながら摘出工具１０１を移動させて、ケーブル１０５を辿って行く。ケーブルが折り重なっているようなところでは、摘出工具１０１が通り難いが、本技術ではジョイント１０４の部分で把持棒１０３が屈曲できるため、把持棒１０３がストレートの場合よりも通し易くなっている。以上のような動作を連続的に行うことにより、目的とするケーブル１０５を、始点から終点までをたどり、識別することが出来る。
【先行技術文献】
【特許文献】
【０００６】
【特許文献１】特開２００７−１８３３２２号公報
【発明の概要】
【発明が解決しようとする課題】
【０００７】
しかしながら特許文献１の方法では、ケーブルが多数折り重なっているところでは把持棒が引っ掛かって、摘出工具を通すことが出来なかった。その結果、終端までケーブルを識別できない恐れがあった。また無理に引っ張って識別作業を行うとケーブルを破損することも問題であった。このように、摘出工具を使ってケーブルを追跡できるのは把持棒を差し入れられる範囲に限られており、狭いスペースをケーブルが通っている場合には、その追跡が不可能であった。
【０００８】
本発明は上記の問題点に鑑みてなされたものであり、その目的は、ケーブルが多数折り重なった場所や、狭いスペースでも、ケーブルの識別が可能な方法を提供することである。
【課題を解決するための手段】
【０００９】
上記目的を達成するため、本発明では、複数のケーブルの中から特定のケーブルを識別するためのケーブル識別器具において、可撓性を有する線状体と、互いに間隔を置かれて前記線状体に固定された複数の環状体とを有する構成としている。
【発明の効果】
【００１０】
本発明の効果は、複数のケーブルの中から、所望のケーブルを確実に識別できることである。
【図面の簡単な説明】
【００１１】
【図１】第１の実施の形態を示す斜視図である。
【図２】第１の実施の形態におけるケーブル識別器具の斜視図である。
【図３】第１の実施の形態におけるケーブル識別器具の断面図である。
【図４】第１の実施の形態におけるガイド取り付け方法の例を示す斜視図である。
【図５】第１の実施の形態におけるガイド取り付け方法の別の例を示す斜視図である。
【図６】第１の実施の形態におけるガイド取り付け方法のさらに別の例を示す斜視図である。
【図７】第２の実施形態を示す斜視図である。
【図８】第２の実施形態を示す断面図である。
【図９】第３の実施の形態を示す断面図である。
【図１０】第４の実施の形態を示す断面図である。
【図１１】第５の実施の形態を示す断面図である。
【図１２】第６の実施の形態を示す断面図である。
【図１３】第７の実施の形態を示す斜視図である。
【図１４】第８の実施の形態を示す斜視図である。
【図１５】第８の実施の形態の一例を示す平面図である。
【図１６】第８の実施の形態の別の例を示す平面図である。
【図１７】第９の実施の形態を示す断面図である。
【図１８】第１０の実施の形態を示す平面図である。
【図１９】第１０の実施の形態を示す側面図である。
【図２０】第１０の実施の形態の一部を拡大した断面図である。
【図２１】第１０の実施の形態の変形例を示す断面図である。
【図２２】第１０の実施の形態の適用例を示す側面図である。
【図２３】第１０の実施の形態の適用例を示す斜視図である。
【図２４】従来の技術を示す斜視図である。
【図２５】従来の技術の一部を示す斜視図である。
【発明を実施するための形態】
【００１２】
次に、本発明の実施形態について図面を参照して説明する。
（第１の実施の形態）
図１は本実施の形態のケーブル識別器具１を示す斜視図である。本実施の形態におけるケーブル識別器具１は、可撓性を有する線材２と、線材２の先端に取り付けられた環状の先端ガイド３と、互いに間隔を置かれて線材２に取り付けられた環状のガイド４とからなる。
【００１３】
線材２の材料は、弾性と、ある程度の硬さを併せ持つこと、すなわち可撓性を有することが必要である。このような材料は世の中に多数存在する。例えばピアノ線、金属撚り線、樹脂材料等を用いることが出来る。ガイド４としては、各種の金属、プラスチック、樹脂などを用いることが出来る。ガイド４は、接着剤、テープ、ハンダなどを用いて線材２に取り付けられる。また材料の組合せに応じて、補助的な治具や、溶接を用いても良い。
【００１４】
ケーブル識別器具１は多数のケーブル５の中から、目的ケーブル６を識別するために用いられる。図１に示すように、目的ケーブル６に先端ガイド３および、ガイド４を順次通し移動させていくことにより、目的ケーブル６の端から端までを識別することが出来る。
【００１５】
識別作業は次のようにして行う。まず目的ケーブル６の先端（始点）を先端ガイド３に通す。次に隣のガイド４にケーブルを通す。そこから順次隣接するガイド４にケーブルを通して、先端ガイド３を移動させていく。そして先端ガイド３が目的ケーブル６の終点まで移動させる。こうして、目的ケーブル６が全長に渡って識別される。
【００１６】
図２は本実施の形態における識別器具１の斜視図であり、図３は断面図である。線材２の先端に環状の先端ガイド３が固定され、所定の間隔を置かれた位置に環状のガイド４が固定され、以下複数のガイド４（図示せず）が所定の間隔を置かれて線材２に取り付けられている。先端ガイド３はテーパー部７を有しており、断面が先端方向に向かって幅が狭くなるようなテーパー形状をなしている。先端をテーパー形状にすることによって、ケーブル５が入り組んでスペースが狭くなっているような場合でも、ケーブル識別器具１を押し入れることが出来る。
【００１７】
図４は線材２へのガイド４の取り付け構造の一例を示す斜視図である。線材２に取り付けられたジョイント８に、Ｃ字型のガイド４を嵌合する構造になっている。
【００１８】
図５は、別の取り付け構造の例である。線材２としてピアノ線や金属撚り線などを用いた場合は紐のように結ぶことが出来る。この例では環状のガイド４に穴９を設け、線材２を結びつけて固定している。
【００１９】
また、金属線などを屈曲加工しただけの簡易な構造のガイド４を用いることも出来る。図６に示す例では、金属線等で環を作ってガイド４となし、線の両端を延伸、屈曲して脚部１０とし、脚部１０をバンド１１や接着剤等を用いて固定している。
（実施の形態２）
図７は第２の実施の形態を示す斜視図であり、図８は断面図である。本実施の形態では線材２として、幅を持った板状の部材を用いている。先端ガイド３、ガイド４に板状の脚部１０を設けて線材２に固定している。このような構造とすると、接触面積が増大することにより、先端ガイド３、ガイド４をより強固に固定することができる。
（実施の形態３）
図９は第３の実施の形態を示す断面図である。本実施の形態では先端ガイド３の断面を略円形としている。このような断面形状とすることにより、先端ガイド３を狭いスペースに押し込んで行くことが容易になる。それとともに、ケーブル５や目的ケーブル６が傷付きにくくなる。
（実施の形態４）
図１０は本発明第４の実施の形態を示す断面図である。本実施の形態では、先端ガイド３の内径を、目的ケーブル６の外形より少しだけ大きい径にしている。他のガイド４の内径は目的ケーブル６の外形よりも大きければよく、特に制約はない。先端ガイド３の径を必要な範囲で最小とすることにより、ケーブル５が密集しているような場所でも、識別器具１を通すことが容易になる。
【００２０】
また、先端ガイド３を着脱可能な取り付け構造にしておけば、目的ケーブル６の径に応じて先端ガイド３を交換するだけで、最適な識別器具１を形成することができる。
（実施の形態５）
図１１は本発明第５の実施の形態を示す断面図である。本実施の形態では先端ガイド３、ガイド４に標識部材１２を付加している。標識部材１２は例えば反射体であり、また例えば蛍光体である。識別部材１２を付加することにより、ケーブル識別作業中に目的ケーブル６を認識しやすくなる。例えば懐中電灯などで照らせば、多数のケーブル５の中から目的ケーブル６を見つけるのが容易になる。蛍光体であれば、紫外線光源を用いるとより認識しやすくなる。なお標識部材１２は、全てのガイドに設けていなくても良い。また線材２に取り付けられていても良い。
（実施の形態６）
図１２は、第６の実施の形態を示す断面図である。本実施の形態では標識部材１２として発光体１３を用いている。発光体１３は導線１４に接続され、導線１４は線材２に沿って延伸されている。導線１４は末端（先端ガイド３の反対側）に延伸され、電源１５およびスイッチ１６と接続されている。発光体１３としては、電球、ＬＥＤ、有機ＥＬなどを用いることが出来る。この構成とすると、目的ケーブル６を見失っても、発光体１３を光らせることによって容易に見つけることができる。なお線材２の一部を導線１４として利用しても良い。
（実施の形態７）
図１３は第７の実施の形態を示す斜視図である。本実施の形態では、ガイド４として弾性体を用いている。弾性体を用いることにより、例えば目的ケーブル６の始端にコネクタ１７等の障害物があっても、目的ケーブル６を識別器具１に挿入することが可能になる。
【００２１】
図１３（ａ）のように、先端ガイド３、ガイド４の内径はコネクタより小さいが、図１３（ｂ）のように先端ガイドを広げることによって、コネクタ１７を通過させることができる。こうして図１３（ｃ）のように識別器具１に目的ケーブル６を挿入することが出来る。２番目以降のガイド４についても同様の手順によって目的ケーブル６を通せる。以上のようにして、識別器具１を目的ケーブル６に沿って移動することが出来る。ガイド４の材質としては弾性と適度な硬さを併せ持つ硬質ゴムなどが好適である。
（実施の形態８）
図１４は本発明第８の実施の形態を示す平面図である。本実施の形態においては、先端ガイド３、ガイド４として開閉機構を有するものを用いる。ガイド４は一方のガイドa４ａと他方のガイドｂ４ｂとヒンジ４ｃからなり、ヒンジ４ｃを軸として、図１４（ａ）−図１４（ｂ）のように開閉することが出来る。ガイドａ４ａとガイドｂ４ｂの先端が接触して閉じる形態としては、図１５のように両者が部分的に重なる形態や、図１６のように先端が互いに噛み合う嵌合部１８を持つ形態などとすることが出来る。なおガイドａ４ａ、ガイドｂ４ｂが可撓性を有する材質であれば、ヒンジ４ｃを設けなくても同様の機能を実現することが可能である。
【００２２】
このように開閉機構を有する場合には、実施の形態７と同様に、コネクタ１７等を超えて、ケーブル識別器具１を目的ケーブル６に装着することが出来る。
（実施の形態９）
図１７は本発明第９の実施の形態を示す断面図である。本実施の形態では線材２を２本用いている。これにより、曲げに対する強度、弾性が向上し、強い力でケーブル識別器具１を押し込んで行くことが可能になる。なお、線材は２本に限られるものではなく、さらに多くても良い。
（実施の形態１０）
図１８は第１０の実施の形態を示す平面図、図１９は側面図である。本実施の形態では、ガイド４が所定間隔で取り付けられた線材２が板状で、両端に連結手段を有しており、これが１単位となるガイドユニット１９となしている。連結手段は、例えば図１８、図１９に示すような、ギボシ状（頭部が丸く側面にくびれを持つ円筒形）の突起２０と線材２を貫通する穴２１の組合せとすることが出来る。図２０は連結部の拡大図である。また先端ガイド３に突起２０に嵌合する脚部１０を設けておけば、図２１に示すように先端ガイド３を装着し、当該ガイドユニット１９をケーブル識別器具１の先端とすることも出来る。当然のことながら、先端ガイドが突起２０、線材２が穴２１を有する組合せでも良い。
【００２３】
図２２に、先端ガイド３を装着したガイドユニット１９をケーブル識別器具１の先頭として、ガイドユニット１９を次々と連結していった例を示す。このような構成とすれば、運搬に便利な長さのガイドユニット１９を複数用意しておいて、使用時に必要な長さになるまで連結して使うことが出来る。このため作業性が良い。図２３に分解時のイメージを示す。
（付記１）
複数のケーブルの中から特定のケーブルを識別するためのケーブル識別器具であって、可撓性を有する線状体と、互いに間隔を置かれて前記線状体に固定された複数の環状体とを有することを特徴とするケーブル識別器具。
（付記２）
前記環状体が開閉手段を有していることを特徴とする付記１記載のケーブル識別器具。
（付記３）
前記環状体が弾性体からなることを特徴とする付記１記載のケーブル識別器具。
（付記４）
前記線状体の先端に配置された前記環状体が先端方向に向かって狭小となる断面を有していることを特徴とする付記１乃至付記３いずれか一項に記載のケーブル識別器具。
（付記５）
前記断面がテーパー形状であることを特徴とする付記４に記載のケーブル識別器具。
（付記６）
前記断面が略円形であることを特徴とする付記４に記載のケーブル識別器具。
（付記７）
前記線状体または前記環状体の一部に標識部材が設けられていることを特徴とする付記１乃至付記６いずれか一項に記載のケーブル識別器具。
（付記８）
前記標識部材が光の反射体であることを特徴とする付記７記載のケーブル識別器具。
（付記９）
前記標識部材が蛍光体であることを特徴とする付記７記載のケーブル識別器具。
（付記１０）
前記標識部材が発光体であることを特徴とする付記７記載のケーブル識別器具。
（付記１１）
前記標識部材が電流により発光する発光体であることを特徴とする付記１０記載のケーブル識別器具。
（付記１２）
前記線状体の先端に配置された前記環状体が着脱自在であることを特徴とする付記１乃至付記１１いずれか一項に記載のケーブル識別器具。
（付記１３）
前記線状体の先端に配置された前記環状体が他の前記環状体よりも小さな内径を有していることを特徴とする付記１乃至付記１２いずれか一項に記載のケーブル識別器具。
（付記１４）
前記線状体が分割可能であり、分割された前記線状体が両端に接続手段を有していることを特徴とする付記１乃至付記１３いずれか一項に記載のケーブル識別器具。
（付記１５）
可撓性を有する線状体と、互いに間隔を置かれて前記線状体に固定された複数の環状体とを有するケーブル識別器具の一端をケーブルに挿入する工程と、前記複数の環状体に前記ケーブルを通しながら前記ケーブル識別器具を移動させる工程とを有することを特徴とするケーブルの識別方法。
（付記１６）
前記ケーブルの外径に略等しい内径を有する前記環状体を先端に有する前記ケーブル識別器具を用いることを特徴とする付記１５記載のケーブル識別方法。
【符号の説明】
【００２４】
１    ケーブル識別器具
２    線材
３    先端ガイド
４    ガイド
５    ケーブル
６    対象ケーブル
７    テーパー部
８    ジョイント
９    穴
１０    脚部
１１    バンド
１２    標識部材
１３    発光体
１４    導線
１５    電源
１６    スイッチ
１７    コネクタ
１８    嵌合部
１９    ガイドユニット
２０    突起
２１    穴
２２    かご
１０１    摘出工具
１０２    ケーブルガイド
１０３    把持棒
１０４    ジョイント
１０５    ケーブル
【図１】
2014117027.tif 000003
【図２】
2014117027.tif 000004
【図３】
2014117027.tif 000005
【図４】
2014117027.tif 000006
【図５】
2014117027.tif 000007
【図６】
2014117027.tif 000008
【図７】
2014117027.tif 000009
【図８】
2014117027.tif 000010
【図９】
2014117027.tif 000011
【図１０】
2014117027.tif 000012
【図１１】
2014117027.tif 000013
【図１２】
2014117027.tif 000014
【図１３】
2014117027.tif 000015
【図１４】
2014117027.tif 000016
【図１５】
2014117027.tif 000017
【図１６】
2014117027.tif 000018
【図１７】
2014117027.tif 000019
【図１８】
2014117027.tif 000020
【図１９】
2014117027.tif 000021
【図２０】
2014117027.tif 000022
【図２１】
2014117027.tif 000023
【図２２】
2014117027.tif 000024
【図２３】
2014117027.tif 000025
【図２４】
2014117027.tif 000026
【図２５】
2014117027.tif 000027